(57)【要約】【課題】  提げ手２０の材質に可撓性部材を採用し、袋本体１０から提げ手２０が抜け落ちることが無いような手提げ袋１を提案し、利用者の満足度を向上させる。【解決手段】  上方を開口した袋本体１０の開口部付近に取付部を備え、該取付部に提げ手２０の両端を取り付けた手提げ袋１について、前記取付部を、前記提げ手の各端用に設けた各複数の取付穴３１，３２，３３で形成し、前記提げ手２０の少なくとも両端部近傍を可撓性部材で形成し、該提げ手２０の両端を、対応する前記複数の取付穴３１，３２，３３にそれぞれ順番に挿通して取り付けた。【選択図】    図１
2006001625.tif 000002
【特許請求の範囲】
【請求項１】
上方を開口した袋本体の開口部付近に取付部を備え、該取付部に提げ手の両端を取り付けた手提げ袋であって、
前記取付部を、前記提げ手の各端用に設けた各複数の取付穴で形成し、
前記提げ手の少なくとも両端部近傍を可撓性部材で形成し、
該提げ手の両端を、対応する前記複数の取付穴にそれぞれ順番に挿通して取り付けた
手提げ袋。
【請求項２】
前記取付部を形成する取付穴の数を、提げ手の両端に対応してそれぞれ３つ以上に設定し、
少なくとも２つは高さが異なる位置に配設し、
少なくとも２つは横位置が異なる位置に配設した
請求項１記載の手提げ袋。
【請求項３】
前記袋本体の開口部に、内側に折り返した重合部を形成し、
該重合部の折りたたみ内側に補強板を備え、
該補強板に前記取付部を形成する複数の取付穴を穿設すると共に、
前記重合部に、前記提げ手の端部を前記補強板へ向けて挿通する挿通穴を穿設した
請求項１又は２記載の手提げ袋。
【請求項４】
前記提げ手の前記複数の取付穴への挿通部を、上記取付穴の近傍で接着した
請求項１、２又は３記載の手提げ袋。
【発明の詳細な説明】
【技術分野】
【０００１】
この発明は、例えば提げ手付きの紙袋のような手提げ袋に関する。
【背景技術】
【０００２】
従来、衣類等の商品を購入した顧客に、商品の持ち運び用に提供する紙袋や、荷物の持ち運びように販売されている紙袋等、提げ手のついた様々な手提げ袋が提供されている。
【０００３】
このような手提げ袋は、袋本体と提げ手とをいずれも紙部材で形成したものや、提げ手を紐で形成したものが提供されている。
【０００４】
袋本体への提げ手の取り付けは、一般には提げ手の端部を袋本体の開口部に粘着テープや紙等で挟み込み、接着剤等で接着することで行われている（特許文献１参照）。
【０００５】
一方、手提げ袋は荷物を入れて運ぶものであるため、袋本体への提げ手の取付部に荷重がかかり、これによって提げ手が抜けると荷物の破損等に繋がる問題がある。
【０００６】
このような提げ手の抜け落ちを防止する方法としては、強力な接着剤を多量に塗布する方法が考えられるが、これでは美観が損なわれることとなる。これ以外の方法としては、端部を直角に折り曲げて接着する手提げ紙袋や（特許文献２参照）、提げ手の端部に抜け止め用の結び目を設けた袋等が提案されている（特許文献３参照）。
【０００７】
【特許文献１】実開平０６−０６６３４４号公報
【特許文献２】登録実用新案第３０８８２０８号公報
【特許文献３】登録実用新案第３０６６５４４号公報
【発明の開示】
【発明が解決しようとする課題】
【０００８】
しかし、上述した方法では、提げ手に可撓性部材（外力によりたわむあるいはしなることが可能で外力を除去すると復元する部材）を採用することができないか、可撓性部材を採用した場合は容易に抜けてしまう問題があった。
【０００９】
詳述すると、手提げ袋の提げ手は、合成樹脂等の可撓性部材を採用することで、材料の硬度や質感の違いにより紐や紙の場合に比べて手提げ袋の高級感が格段に向上する。
【００１０】
しかし、このような可撓性部材は、袋本体の材質となる紙や布と硬さが相当異なるため、接着剤による接着に適さず、強力な接着剤を多量に塗布して接着しても抜け落ちを防止することはできなかった。
【００１１】
また、可撓性であるために、先端を直角に折り曲げた形状を維持するといったことはできず、先端を結ぼうとした場合には、堅く結ぶことができず結び目に隙間ができてしまい、抜け止めに適さず美観も損なうという問題があった。
【００１２】
この発明は、上述の問題に鑑み、提げ手の材質に可撓性部材を採用し、袋本体から提げ手が抜け落ちることが無いような手提げ袋を提案し、利用者の満足度を向上させることを目的とする。
【課題を解決するための手段】
【００１３】
この発明は、上方を開口した袋本体の開口部付近に取付部を備え、該取付部に提げ手の両端を取り付けた手提げ袋であって、前記取付部を、前記提げ手の各端用に設けた各複数の取付穴で形成し、前記提げ手の少なくとも両端部近傍を可撓性部材で形成し、該提げ手の両端を、対応する前記複数の取付穴にそれぞれ順番に挿通して取り付けた手提げ袋であることを特徴とする。
【００１４】
前記袋本体は、紙部材、ビニル部材、布部材等、適宜の材質で形成することを含む。  
前記取付部は、袋本体の開口部に備える厚紙やプラスチック板や樹脂板等の補強部材に形成する、あるいは、袋本体の開口部に直接形成することを含む。
【００１５】
前記可撓性部材は、樹脂部材又はゴム部材等、可撓性を有する部材で形成することを含む。  
なお可撓性とは、たわませることやしならせることが可能な性質、すなわち、たわませた状態やしならせた状態にしても元に戻ろうとする復元力を有する性質を指す。
【００１６】
前記構成により、提げ手に可撓性部材を採用した高級感のある手提げ袋を提供することができ、その上で、提げ手の抜け落ちを防止することができる。
【００１７】
この発明の態様として、前記取付部を形成する取付穴の数を、提げ手の両端に対応してそれぞれ３つ以上に設定し、少なくとも２つは高さが異なる位置に配設し、少なくとも２つは横位置が異なる位置に配設することができる。  
これにより、提げ手の各穴への挿通部が曲線を描くこととなり、強固に抜け止めを行うことができる。
【００１８】
またこの発明の態様として、前記袋本体の開口部に、内側に折り返した重合部を形成し、該重合部の折りたたみ内側に補強板を備え、該補強板に前記取付部を形成する複数の取付穴を穿設すると共に、前記重合部に、前記提げ手の端部を前記補強板へ向けて挿通する挿通穴を穿設することができる。
【００１９】
これにより、提げ手を複数の穴に挿通した部分を外部から見えないようにすることができ、より美しい美観の手提げ袋を提供することができる。
【００２０】
またこの発明の態様として、前記提げ手の前記複数の取付穴への挿通部を、上記取付穴の近傍で接着することができる。  
これにより、より強固に提げ手を取り付けて抜け止めすることができる。
【発明の効果】
【００２１】
この発明により、提げ手の材質に可撓性部材を採用し、袋本体から提げ手が抜け落ちることが無いような手提げ袋を提案し、利用者の満足度を向上させることができる。
【発明を実施するための最良の形態】
【００２２】
この発明の一実施形態を以下図面と共に説明する。  
まず、図１に示す全体の斜視図と共に、手提げ袋１の全体構成について説明する。  
手提げ袋１は、袋本体１０と、提げ手２０と、補強板３０とで構成している。
【００２３】
袋本体１０は、上方を開口した箱型の紙袋であり、表面に撥水加工を施した丈夫な紙部材で形成している。  
袋本体１０の開口部は、一定幅だけ内側に折り返した折り返し部１１を形成している。
【００２４】
袋本体１０の正面の下方位置には、大きく店舗名等のロゴ１２を印刷している。  
袋本体１０の側面には、折り線１３を形成し、袋本体１０を平面状に折りたたむことができるように形成している。
【００２５】
提げ手２０は、可撓性を備えた合成樹脂、具体的にはＥＶＡ＋ＰＰにて全体をチューブ状（円柱形状）に形成している。ここで、ＥＶＡとは、エチレン酢酸ビニル共重合体の樹脂を指し、ＰＰ（ポリプロピレン）は、ポリエチレンなどと共にいわゆる汎用プラスチックといわれるものを指す。
【００２６】
なお、提げ手２０の材質は、合成樹脂等の樹脂に限らず、合成ゴムや天然ゴム等、可撓性を有する他の部材で形成しても良い。  
提げ手２０の可撓性による復元の程度は、手で曲げることができるが、しばらく曲げた状態で保持していても、手を離すとほぼ元に戻る程度であることが好ましい。また、提げ手２０の曲げに対する堅さは、屈曲はせずカーブを描いて曲がる程度が好ましい。
【００２７】
補強板３０は、袋本体１０の折り返し部１１の内側に備えており、該補強板３０に提げ手２０を取り付ける構成としている。  
この補強板３０は、塑性変形する部材として丈夫な厚紙で形成する。また、該補強板３０の堅さは、提げ手２０よりもやわらかいが補強部材として機能する堅さに形成している。
【００２８】
以上の構成により、提げ手２０を紙や紐等ではなく合成樹脂で形成した高級感のある手提げ袋１を提供することができる。
【００２９】
次に、図２、図３に示す製造工程説明図と共に、手提げ袋１の細部の構成と製造工程について説明する。
【００３０】
まず、図２の（Ａ）に示すように、袋本体１０の折り返し部１１を開いた状態で、袋本体１０の内側に補強板３０を添える。  
ここで、（Ａ）に示す説明図は、左側の図が手提げ袋１の正面部を内側から見た背面図であり、右側の図が手提げ袋１の正面部を右側面から見た断面図である。
【００３１】
袋本体１０の折り返し部１１には、左右に１つずつ計２つの挿通穴１１ａを穿設しており、補強板３０には、左右に３つずつ計６つの取付穴３１，３２，３３を左右対称に穿設している。
【００３２】
補強板３０の取付穴３１，３２，３３は、取付穴３１を最上位置に配設し、取付穴３2をその下方で少し外側の最下位置に配設し、取付穴３３を、上下方向を取付穴３１と取付穴３2の間の中間位置で左右方向を最も外側の最外位置に配設している。
【００３３】
この取付穴３１，３２，３３の配置は、各穴を直線で結んだ三角形が正三角形に近くなるように、互いに適度な間隔を空けて形成している。この配置により、取付穴３１，３２，３３を挿通する提げ手２０が無理のない曲線を保てるようにしている。
【００３４】
袋本体１０の折り返し部１１に形成した挿通穴１１ａは、補強板３０の取付穴３１と対向させる位置に形成しており、補強板３０を折り返した時に取付穴３１が挿通穴１１ａと重なるように形成している。
【００３５】
これらの挿通穴１１ａ及び取付穴３１，３２，３３の大きさは、提げ手２０の直径とほぼ同一の大きさに形成している。
【００３６】
このように準備した各部材を、（Ｂ）に示すように、まず折り返し部１１の挿通穴１１ａに提げ手２０の両端を挿通する。
【００３７】
次に、図３の（Ｃ）に示すように、提げ手２０の両端を、補強板３０の取付穴３１，３２，３３の順に、交互に挿通する。  
詳述すると、図４に示す右側面から見たＡＡ断面イメージ図に示すように、補強板３０の内側（図示右側）から外側（図示左側）へ取付穴３１に挿通し、そのまま外側から内側へ取付穴３2に挿通し、さらにそのまま内側から外側へ取付穴３３に挿通する。
【００３８】
なお、図４は挿通イメージを示しているため、提げ手２０が曲がり補強板３０は曲がらないようにして表示しているが、実際は、図５の右側面から見たＢＢ断面図に示すように、補強板３０が少し変形する。
【００３９】
すなわち、提げ手２０は可撓性を有しているため、曲げに対して元に戻ろうとする復元力（弾性力）を有している。この復元力によって板状であった補強板３０が取付穴３１，３２，３３付近で少し変形する。
【００４０】
この変形があるため、取付穴３１，３２，３３の大きさを提げ手２０の直径とほぼ同一としても全ての穴に提げ手２０を挿通することができる。提げ手２０の復元力によって取付穴３１，３２，３３にかかる圧力が強くなるため、摩擦力も強くなって提げ手２０が固定されることとなる。
【００４１】
こうして補強板３０の取付穴３１，３２，３３に提げ手２０の両端をそれぞれ挿着して抜け止め固定した後、図６の正面図に示すように、補強板３０の正面側の取付穴３１，３２，３３近傍で、提げ手２０の端部近傍にあたる挿通部２１を補強板３０に接着剤４０にて接着する。この接着により、抜け止めをより強固にしている。
【００４２】
なお、接着剤４０による接着を行わず、提げ手２０の挿通部２１を取付穴３１，３２，３３に挿通するだけで抜け止めする構成としても良い。この場合でも十分な抜け止めを行うことができ、接着工程の省略によるコストダウンが図れると共に、接着剤４０の不使用による地球環境の保護を図ることができる。
【００４３】
提げ手２０を接着した補強板３０を内側に挟んだ状態で、図３の（Ｄ）に示すように、折り返し部１１を折り返して重ね合わせることで重合部１５を形成し、図１に示した手提げ袋１を完成させる。このとき、折り返し部１１の内側を更に接着しても良い。
【００４４】
以上の構成、及び製造工程により、提げ手２０の材料に合成樹脂やゴム（合成ゴム、天然ゴム）を採用した高級感のある手提げ袋１を提供することができる。
【００４５】
提げ手２０は、取付穴３１，３２，３３及び接着剤４０によってしっかり抜け止めされているため、抜けて袋本体１０から分離することがない。これにより、重い荷物を袋本体１０に入れて運ぶ場合にも、必要十分な抜け止め強度を得ることができる。
【００４６】
また、抜け止め部分である取付穴３１，３２，３３及び挿通部２１を重合部１５内に隠蔽しているため、美しい美観を保つことができる。
【００４７】
さらに、取付穴３１，３２，３３を補強板３０に形成して提げ手２０の挿通部２１を挿通し、袋本体１０は折り返し部１１を折り返して被せるだけであるため、提げ手２０の挿通部２１の湾曲とその近辺の補強板３０の凹凸変形が、外部から視認できる手提げ袋１の美観に影響を与えることを防止できる。
【００４８】
なお、取付穴３１，３２，３３の配置は、前記配置に限らず、様々な配置とすることができる。
【００４９】
また、補強板３０には、取付穴３１，３２，３３に加えてさらに取付穴を設けて提げ手２０を相通しても良い。
【００５０】
また、袋本体１０に設ける挿通穴１１ａは、取付穴３１，３２，３３に対応させて表側及び折り返し部１１にそれぞれ３つずつ同一形状に設け、提げ手２０の取付穴への挿通部が袋本体１０の外から見えるように形成しても良い。
【００５１】
この場合は、取付穴及び挿通穴の配置を様々に工夫することで、袋本体１０の表側に現れる提げ手２０の一部によって新たなデザインを提供することができる。
【００５２】
また、補強板３０を備えず、袋本体１０に直接取付穴３１，３２，３３を穿設し、提げ手２０の挿通部２１を挿通して抜け止めする構成としても良い。  
これにより、袋本体１０に十分な強度があるような場合に、補強板３０を省略して製造時の工程削減とコストダウンを図ることができる。
【００５３】
この発明の構成と、上述の実施形態との対応において、
この発明の両端部近傍及び挿通部は、実施形態の挿通部２１に対応し、
以下同様に、
取付部及び取付穴は、取付穴３１，３２，３３に対応するも、
この発明は、上述の実施形態の構成のみに限定されるものではなく、多くの実施の形態を得ることができる。
【図面の簡単な説明】
【００５４】
【図１】手提げ袋の斜視図。
【図２】手提げ袋の製造工程説明図。
【図３】手提げ袋の製造工程説明図。
【図４】右側面から見た断面のイメージ図。
【図５】右側面断面図。
【図６】提げ手及び補強板の拡大正面図。
【符号の説明】
【００５５】
１…手提げ袋
１０…袋本体
１１ａ…挿通穴
１５…重合部
２０…提げ手
２１…挿通部
３０…補強板
３１，３２，３３…取付穴
【図１】
2006001625.tif 000003
【図２】
2006001625.tif 000004
【図３】
2006001625.tif 000005
【図４】
2006001625.tif 000006
【図５】
2006001625.tif 000007
【図６】
2006001625.tif 000008